Podtech/llm-jp-corpus-v4-ja_patent huggingface dataset:
(57)【要約】【課題】  歯の磨き残し確認ミラーを別に用意する不都合の解消等。【解決手段】  歯ブラシ２に、ミラー１を組合わせることにより、この課題を解決する。【選択図】図３
0003135301.tif 000002
【実用新案登録請求の範囲】
【請求項１】
歯ブラシの柄の部分にミラーを付けることにより磨き残し確認用ミラーと組合わせた歯ブラシ。
【考案の詳細な説明】
【技術分野】
【０００１】  本考案は、歯磨きにおいて見にくいお口の奥の磨き残しなどを確認するミラー具に関する。
【背景技術】
【０００２】  従来の磨き残し確認ミラーは、別途用意していた。
【考案の開示】
【考案が解決しようとする課題】
【０００３】  しかし、これでは、別に購入しなければいけないのと保管に不便を生じていた。
【課題を解決するための手段】
【０００４】  そこで、歯ブラシに直接ミラーを付けることを考案した（図３）。このミラー付歯ブラシにより、磨き残し確認ミラーの別購入と別保管が軽減されたのである。
【考案の効果】
【０００５】  よって、本考案のミラー付歯ブラシにより、磨き残し確認ミラーを新たに用意することなく、常時、容易に磨き残しのチェックすることができる。
【考案を実施するための最良の形態】
【０００６】  本考案のミラー付歯ブラシは、図３に示すように、従来存在する歯ブラシにミラーを付けたことが特徴であり．ミラーの形状及び材質に規定は無く、ミラーを付ける場所においても歯ブラシの柄の部分であればどこでも良い。
【図面の簡単な説明】
【０００７】
【図１】本考案のミラーを付けた歯ブラシの平面図。
【図２】本考案のミラーを付けた歯ブラシの正面図。
【図３】本考案のミラーを付けた歯ブラシの斜視図。
【符号の説明】
【０００８】  １  ミラー
２  歯ブラシ
【図１】
0003135301.tif 000003
【図２】
0003135301.tif 000004
【図３】
0003135301.tif 000005
(57)【要約】【課題】    衣服に付着したゴミ・頭皮のフケ・ペットの毛等は、洋服ブラシまたはガムテープの切れ端等で粘着させて除去しているが、手軽に簡便に使用できるようにすると供に、製品コスト面でも安価にでき広告媒体としても使えるようにする。【解決手段】  粘着クリーナー本体１は携帯に便利な様に名刺の大きさ程度にし、ミシン目４をはがして粘着面５で付着物を除去する。使用のときは、本体の台紙３を両側に押し開き楕円状にすることにより手指を数本挿入できるようにする。【選択図】図１
0003135309.tif 000002
【実用新案登録請求の範囲】
【請求項１】
衣服などに付着するゴミ・頭皮のフケ・ペットの毛等を簡便に取り去るために片面粘着シートの粘着側を、ミシン目のついた台紙のシリコン加工面に貼り付け後、二つ折りにして両端を接着した片面粘着シートを利用した携帯用クリーナー。
【請求項２】
台紙の両側のミシン目を片側からはがし衣服に粘着面を接触する時に台紙を楕円状に押し開き、手指を数本差し入れ付着物を簡便に取りやすくした請求項１記載の片面粘着シートを利用した携帯用クリーナー。
【考案の詳細な説明】
【技術分野】
【０００１】  本考案は、衣服に付着するゴミ・頭皮のフケ・ペットの毛等を簡便に除去する粘着クリーナーに関する。
【背景技術】
【０００２】  従来、衣服等に付着したゴミ、頭皮のフケ、ペットの毛等を除去するのに洋服ブラシやガムテープの切れ端等を使用している。
【考案の開示】
【考案が解決しようとする課題】
【０００３】  携帯にも便利な様に名刺位の大きさ程度にし、片面粘着シートをミシン目が打ち込まれた台紙のシリコン加工面に粘着側を貼り付け後二つ折りにして両端を接着することが本考案の目的である。
【課題を解決するための手段】
【０００４】  本考案の、粘着面は、二つ折りした台紙両側二面のみで、使用のときは楕円の状態にして手指を数本挿入し使い勝手をよくするとともに、台紙両面にミシン目があり使用時には片面のミシン目よりはがして粘着面を衣服に接触させる。
【考案の効果】
【０００５】  上述の様に、本考案の片面粘着シートを利用した携帯用クリーナーは、手軽に簡便に使用できるとともに、製品コスト面でも安価にでき広告媒体としても有効である。
【考案の実施するための最良の形態】
【０００６】  以下、本考案の実施形態を図１〜図３に基づいて説明する。
【０００７】  図１において、１は粘着クリーナーの本体で、２は本体のシリコン加工面に貼り付けた片面粘着シートで、３は本体の台紙、４は台紙に打ち込まれたミシン目で使用時に粘着面を出すためのものである。
【０００８】  図１においては、５は台紙のシリコン加工面に貼り付ける粘着面で、６は台紙の二つ折りの中心部であり、７は二つ折りした台紙の両端の接着部である。
【図面の簡単な説明】
【０００９】
【図１】  本考案の実施形態を示す片面粘着シートを利用した携帯用クリーナーの展開図
【図２】  本考案の台紙に片面粘着シート貼り付け後中心部より二つ折りした断面図
【図３】  本考案の携帯用クリーナーを使用するときの全体図。
【符号の説明】
【００１０】  １  粘着クリーナー本体
２  片面粘着シート
３  粘着クリーナー本体の台紙
４  台紙に打ち込んだミシン目
５  台紙シリコン加工面に接する粘着面
６  台紙二つ折りの中心部
７  台紙両端の接着部
【図１】
0003135309.tif 000003
【図２】
0003135309.tif 000004
【図３】
0003135309.tif 000005
(57)【要約】      （修正有）【課題】インク塗料を自動で刷毛に供給して労働力を軽減し、作業時間を短縮する。【解決手段】マーキング線を描く刷毛をフエルト製として、これにインク壷を取り付けることで、自動的に刷毛に塗料が供給できるようにしたもので、インク壷へ塗料を補給するだけでマーキング作業が中断することなく継続して実施できるようにした。フエルト製刷毛は円形容器内面に取り付けられるが、これが正しく適切な力でボルト・ナットに当たることができるよう、刷毛から１２０度の位置３箇所にサポートを配し、この用具をボルト・ナットに被せるだけで容易にボルト・ナットの正しい位置にマーキングできるようにし、熟練を必要とせず、短時間で作業が完了するようにした。【選択図】図１
0003135305.tif 000002
【実用新案登録請求の範囲】
【請求項１】
円筒形プラスチック容器の内部面に、ボルト・ナットに触れる程度のマーキング用フエルト成形品を取り付け、その上部にマーキング用インキ壷を取り付け、マーキングを行うに伴いインキ壷より必要量のインキがフエルト成形品に毛細菅現象で送りこまれるようにした、ボルト締め付け用マーキング用具
【考案の詳細な説明】
【技術分野】
【０００１】  本考案は、円筒形容器内部にマーキング用フエルト成形品刷毛とインク壷を一体化して収納させたマーキング用具に関するものである。
【背景技術】
【０００２】  鉄骨工事におけるボルト・ナットの締め付け程度は構造強度寿命に関わる重要な事柄であるため、１次締め付けとの本締めとの二段階で実施される。先ず１次締め付けが例えばＭ２０のボルトであれば１．５ｋｇｍの力で行われた後、本件にかかわるマーキングがなされる。マーキングはボルト・ナットに繋がる一本の線をインク塗料で描くことでなされる。その後本締めが１．８ｋｇｍの力でなされ、ボルトの先端がねじ切られることで締め付けは完成するが、その後の検査において、マーキングの線を調査し、ボルトとナットの間で一定範囲以上のズレが生じていることで締め付けは合格とされる。．
【考案の開示】
【考案が解決しようとする課題】
【０００３】  マーキングはインク塗料を刷毛につけて、ボルト・ナットに対し一本の線を描くことであるが、ボルトにはネジ山があったりして手描きでは熟練を要するとともに時間もかかっていた。これを解決するため実開平８−７８５１２のような用具も考えられているが、これも用具内の刷毛にインク塗料を細心の注意で塗ってやる必要があり、時間のかかる点は解決されていない。本考案ではインク塗料を自動で刷毛に供給して労働力を軽減し、作業時間を短縮するものである。
【課題を解決するための手段】
【０００４】  本考案では、マーキング線を描く刷毛をフエルト製として、これにインク壷を取り付けることで、自動的に刷毛に塗料が供給できるようにしたもので、インク壷へ塗料を補給するだけでマーキング作業を中断することなく継続して実施できる。フエルト製刷毛は円筒容器内面に取り付けられるが、これが正しく適切な力でボルト・ナットに当たることができるよう、刷毛から１２０度の位置３箇所にサポートを配し、この用具をボルト・ナットに被せるだけで容易に正しい位置にマーキングできるようにした。
【考案の効果】
【０００５】  上述のように、本考案のマーキング用具では、インク壷へインク塗料を充填し、これをボルト・ナットに被せ数秒間保持することで、マーキング作業を完了できるとともに、次のボルト・ナットについても、そのままの体勢で同じ作業を繰り返せる。
このため従来の手作業や従来の用具にくらべ飛躍的にマーキング作業を短縮するとともに均質の作業が可能となる。
【考案を実施するための最良の形態】
【０００６】  ボルト・ナットに接するフエルト成形品の刷毛はその当たり部を刃の形とし、直線をボルト・ナットにマークする。その刃から１２０度の二つの位置決めのための揺れ止めを配し、確実に刷毛の刃が正しく鉛直にボルト・ナットにあたるようにする。フエルト形成品の刷毛にはインク壷が繋がっており、毛細菅現象でインクはフエルトに自動的に供給される。ボルト・ナットの向きは下向き、横向き、上向きとなるが、いづれの場合も適正な量のインクが供給される。
【実施例】
【０００７】  以下、添付図面に従って一実施例を説明する。１はマーキング用具の本体で円筒の形状をしており、マーキング作業にあってはこの容器をボルト・ナットに被せることで、マーキングが完了する。１の本体容器には２のインク壷、３のフエルト形成刷毛が取り付けられるとともに、１２０度の位置にボルト・ナットに被せた時の位置決めのため、４のサポート２個が取り付けられている。インク壷には３の刷毛が５の刷毛座を介してしっかりと取り付けられる。インク壷の頭部には６のキャップがあり、これを取り外してインク塗料の充填を行うことが出来る。本体円筒容器には刷毛やサポートを固定するため、それぞれの固定座７、８がとりつけられている。【０００８】インク壷にまずインク塗料を充填し、インク塗料がフエルト成形刷毛に滲み込むの待つ。刷毛先端刃先までインクが廻った事を確認して、容器をボルト・ナットに垂直に被せて本体が鉄骨材にぶつかるまで差し込む。
数秒保持した後、ゆっくりと垂直に引き抜いて、マーキングを完了する。
一旦フエルトにインク塗料が滲み込んだ後は、次々と同様にボルト・ナットに被せて引き抜くことでマーキングをしていくことが出来る。
【図面の簡単な説明】
【０００９】
【図１】本考案の実施例を示す正面図・断面図・上面図・下面図・交換用刷毛である。
【符号の説明】
【００１０】１    マーキング用具本体
２    インク壷
３    フエルト成形刷毛
４    サポート
５    刷毛座
６    キャップ
７    刷毛固定座
８    サポート固定座
９    ボルト
１０  ナット
１１  ワッシャ
１２  鋼板
１３  丸型ローラーフェルト太書
１４  平型フェルト細書
【図１】
0003135305.tif 000003
(57)【要約】      （修正有）【課題】ベビーカーが安全に縁石、側溝、凸凹、電車とホームの段差を乗り越える装置を備えたベビーカーを提供する。【解決手段】ベビーカーの後車輪３の後ろにそれぞれ１個の補助車輪２を取り付け、これがストッパーの役目を果たすので、後車輪と補助車輪で走行し一定の間隔に前車輪を浮かせても、安全に障害物を乗り越えることができる。【選択図】図１
0003135304.tif 000002
【実用新案登録請求の範囲】
【請求項１】
ベビーカーの後車輪の後ろに１個ずつ計２個の補助車輪を接地面から上に離して（図２）取り付け、前車輪と後車輪での通常での走行では補助車輪が接地しないようにしたベビーカー。
【請求項２】
ベビーカーのハンドルを押し下げ、後車輪と補助車輪で走行する時は、前車輪が一定の間隔で接地面から浮き上がるようにした請求項１に記載したベビーカー。
【請求項３】
補助車輪を左右の後車輪の後ろ中央に、１個取り付けた（図５）請求項１に記載したベビーカー。
【考案の詳細な説明】
【技術分野】
【０００１】  本考案は、縁石、側溝、地面の凸凹、電車とホームの間の段差などの障害物を安全に乗り越えるため、後車輪の後ろに補助車輪を取り付けたベビーカーに関するものである。
【背景技術】
【０００２】  従来のベビーカーは凸凹、段差などの障害物を乗り越えるための装置を備えているベビーカーはなかった。
【考案の開示】
【考案が解決しようとする課題】
【０００３】  ベビーカーには、車輪の小さいものも多く、比較的小さい凸凹が走行面にあっても前車輪が引っかかったり、ベビーカーが揺れたりして、安全走行が難しかった。特に縁石、側溝、電車とホームの間の段差を容易に乗り越えることはできなかった。
乗り越える場合は、ベビーカーのハンドルを押し下げ前車輪を浮かせて乗り越えるか、前車輪の部分を直接持ち上げて乗り越えるしか方法はなく、いずれの方法でも、ベビーカーが不安定な状態にさらされることになる。
ベビーカーのハンドルを押し下げる場合は、ストッパーがないため、力が入りすぎると前車輪が極端に浮き上がり危険な状態になる。
電車とホームの間の段差も短時間で容易に乗り越えるのは容易ではない。
【課題を解決するための手段】
【０００４】  そこでベビーカーの後車輪の後ろに接地しないよう接地面より上に離して、１個ずつ２個の補助車輪を取り付け（図１）〜（図５）、前車輪と後車輪で通常の走行するときは使用しない。
縁石、側溝、凸凹、電車とホームの段差などの障害物を乗り越える場合、ベビーカーのハンドルを押し下げ、後車輪と補助車輪で走行し、前車輪を一定の間隔に浮かせて、障害物を乗り越える。前車輪が障害物を乗り越えた時点で、ベビーカーのハンドルを元に戻して、前車輪と後車輪による通常の走行に戻す。この場合、補助車輪がストッパーの役割を果たし、ベビーカーのハンドルを押し下げても、前車輪が浮き上がりすぎ、ベビーカーが不安定な状態になることを防いでいる。補助車輪と接地面との間隔が適正となるように、補助車輪を取り付ける位置を調節できるようにする。
【考案の効果】
【０００５】  本考案は、障害物を乗り越える場合、ベビーカーのハンドルを押し下げても、補助車輪がストッパーの役割を果たすので、前車輪が浮き上がり過ぎることはなく、従来のベビーカーと比較して安全な状態で、障害物を乗り越えることができる。
【考案を実施するための最良の形態】
【０００６】  障害物があると、ベビーカーのハンドルを押し下げ、通常の走行から、後車輪と補助車輪による走行に切り替える。後車輪と補助車輪で走行すると、必然的に前車輪が一定の間隔に接地面から浮き上がる。この状態で前車輪が障害物を乗り越えたら、ベビーカーのハンドルを前車輪と後車輪での通常の走行に戻す。
【図面の簡単な説明】
【０００７】
【図１】  本考案の斜視図である。
【図２】  本考案の側面図（前車輪と後車輪で接地した場合）である。
【図３】  本考案の側面図（後車輪と補助車輪で接地した場合）である。
【図４】  本考案の背面図（補助車輪が２個の場合）である。
【図５】  本考案の背面図（補助車輪が１個の場合）である。
【符号の説明】
【０００８】      １    ハンドル。
２    補助車輪。
３    後車輪。
４    前車輪。
５    接地面と前車輪との間隔。
【図１】
0003135304.tif 000003
【図２】
0003135304.tif 000004
【図３】
0003135304.tif 000005
【図４】
0003135304.tif 000006
【図５】
0003135304.tif 000007
(57)【要約】【課題】カーテン布地との取合せに違和感を感じさせず、良いデザインに仕上げることができるカーテンを提供する。【解決手段】カーテン布１の上端縁を固定し下方部分を上げ下げ自在としたカーテンであって、上げ下げ動作用の吊り紐３と、吊り紐３を通す複数個のリング５と、複数個のリング５を取付ける帯状ベルト６とからなり、帯状ベルト６はカーテン布１と同じ布地を用いている。帯状ベルト６がカーテン布１と共布となるので、帯状ベルト６を取付けたことによる違和感が全く生じず、カーテン布自体のデザイン性を損なわない。よって、様々なデザインのカーテンを自由に作ることができる。【選択図】図１
0003135357.tif 000002
【実用新案登録請求の範囲】
【請求項１】
カーテン布の上端縁を固定し下方部分を上げ下げ自在としたカーテンであって、
上げ下げ動作用の吊り紐と、
前記吊り紐を通す複数個のリングと、
前記複数個のリングを取付ける帯状ベルトとからなり、
該帯状ベルトは前記カーテン布と同じ布地を用いている
ことを特徴とするカーテン。
【考案の詳細な説明】
【技術分野】
【０００１】
本考案は、カーテンに関する。さらに詳しくは、ブラインドのように上げ下げできるカーテンに関する。
【背景技術】
【０００２】
従来よりカーテンの基本構造には、片開き、両開き、中央重ね、などがあり（非特許文献１）、これらはよく知られている。しかし、上げ下げ自在のブラインド（ベネシャンブラインドといわれる）ように、上下にたくし上げたり降ろしたりするカーテンは、片開きや両開きほど一般的ではない。そのため上げ下げ式のカーテンに関する文献も、ほとんど存在しない。
【０００３】
上げ下げできるカーテンの基本構造は、カーテンの布地に上下方向に沿って複数個のリングを取り付け、これらのリングに紐を通して、紐の下端をカーテン布地の下縁に取付けておき、この紐を上方に引き上げることにより、カーテン布地をたくし上げるようにしたものである。
【０００４】
本願考案者の知る範囲では、リングの取付けには、レース地のテープを用いている。すなわち、細長い帯状のレース地のテープを用い、このテープ上に間隔をあけて幾つかのリングを縫い付けていく。このリング付のテープを必要な長さに切って、カーテン布地に上下方向に業務用ミシン等で縫い付けてカーテンに固定する。このような手法をとることで、カーテン布地に多数個のリングを能率よく取付け、生産性を上げることができる。
【０００５】
ところで、上記のテープは白っぽいレース地を用いているが、それは、どのような模様のカーテン布地にもデザイン的に目立たなく取付けたいという意図に基づくものである。
しかしながら、いかにレース地と云えども、実際にカーテン布に取付けたときは、布地の色や模様、質感と異なることが多いので、多少なりとも違和感が目立ったり、あるいは強い違和感を感じさせることになる。よって、カーテンのデザイン上は好ましくないが、あるいは邪魔になることがある。
【０００６】
【非特許文献１】商品大辞典  1277〜1278頁  1992年10月15日第12刷発行  東洋経済新報社
【考案の開示】
【考案が解決しようとする課題】
【０００７】
本考案は上記事情に鑑み、カーテン布地との取合せに違和感を感じさせず、良いデザインに仕上げることができるカーテンを提供することを目的とする。
【課題を解決するための手段】
【０００８】
第１考案のカーテンは、カーテン布の上端縁を固定し下方部分を上げ下げ自在としたカーテンであって、上げ下げ動作用の吊り紐と、前記吊り紐を通す複数個のリングと、前記複数個のリングを取付ける帯状ベルトとからなり、該帯状ベルトは前記カーテン布と同じ布地を用いていることを特徴とする。
【考案の効果】
【０００９】
第１考案によれば、帯状ベルトがカーテン布と共布となるので、帯状ベルトを取付けたことによる違和感が全く生じず、カーテン布自体のデザイン性を損なわない。よって、カーテンの様々なデザインを活かすことができる。
【考案を実施するための最良の形態】
【００１０】
つぎに、本考案の実施形態を図面に基づき説明する。
図１は本考案の第１実施形態に係るカーテンの説明図であって、（Ａ）は背面図、（Ｂ）は側面図である。
同図において、Ｃは上げ下げ自在なカーテンであり、つぎのように構成されている。１はカーテン布であって、その上端縁は、上部ボックス２に固定されている。上部ボックス２は吊り紐３を上げ下げする巻取り機構を内蔵している。このカーテンＣを家屋に取付けるには、上部ボックス２を窓枠等にネジ等で固定することになる。
【００１１】
カーテン布１の下端縁には吊り紐３の下端が連結されており、この吊り紐３を引き上げると、カーテン布１の下方部分１ａがたくし上げられるようになっている。図では吊り紐３は３本であるが、本数は任意であり、カーテン布１の幅に合わせて、より多くても少なくてもよい。
カーテン布の片側、図では左側には、吊り紐３を上げ下げ操作するための操作紐４が、上部ボックス２から下っている。この操作紐４を引いたり戻したりすることによって、吊り紐３が上げ下げされるようになっている。なお、以上は公知の構成である。
【００１２】
つぎに、本考案の特徴部分を説明する。
図１において、５は吊り紐３を通すリングであり、６は複数個のリング３を取付けた帯状ベルトである。
この帯状ベルト６は細長い帯状のベルトであり、複数個のリング３が間隔をあけて取付けられている。
【００１３】
図２に示すように、帯状ベルト６は細長い布地の両縁を折り曲げ、二重に縫製したものである。リング５は糸７を用いて縫い付けられている。また、帯状ベルト６は、糸９でカーテン布１に縫い付けられている。この糸９は帯状ベルト６の幅に合わせ、１本でもよく２本でもよい。
そして、本考案においては、帯状ベルト６の布地として、カーテン布１と同じ布を用いたことが特徴である。このため、カーテン布１と同じ色、同じ模様、同じ風合いを有するので、帯状ベルト６をカーテン布１に縫い付けたとき、違和感が全く生じない。
よって、見た目にすっきりしており、自由なデザインを可能とする環境を提供できる。
【００１４】
図３はリングの他の例を示している。
図３のリング８は、環状のリング部８ａにＪ字状の引掛け部８ｂを組合せたものである。このリング８であると、縫付け糸７に対し引掛け部８ｂを挿入抜去して引掛けたり取り外したりすることを自在にすることができる。
【図面の簡単な説明】
【００１５】
【図１】本考案の第１実施形態に係るカーテンの説明図であって、（Ａ）は背面図、（Ｂ）は側面図である。
【図２】リングと帯状ベルトの一例の斜視図である。
【図３】リングと帯状ベルトの他の例の斜視図である。
【符号の説明】
【００１６】
１    カーテン布
５    リング
６    帯状ベルト
７    糸
【図１】
0003135357.tif 000003
【図２】
0003135357.tif 000004
【図３】
0003135357.tif 000005
(57)【要約】【課題】環境汚染を低減可能であり、生産性が良く、放熱性能に優れた波形板を提供すること。【解決手段】第一プレートと、第二プレートと、を含み、前記第二プレートには前記第一プレートに固定された支持板が形成してあり、前記第二プレートには延長板が形成してあり、前記延長板にはそれと垂直している支持板が結合してあり、且つ前記第二プレートの延長板には貫通孔が開設してあることを特徴とする波形板である。【選択図】図１
0003135396.tif 000002
【実用新案登録請求の範囲】
【請求項１】
第一プレートと、第二プレートと、を含み、
前記第二プレートには前記第一プレートに固定された支持板が形成してあることを特徴とする、
波形板。
【請求項２】
前記第二プレートには延長板が形成してあり、前記延長板には当該延長板に垂直な支持板が結合してあることを特徴とする、請求項１に記載の波形板。
【請求項３】
前記第二プレートの延長板には貫通孔が開設してあることを特徴とする、請求項２に記載の波形板。
【考案の詳細な説明】
【技術分野】
【０００１】
本考案は、波形板に係り、特に、アルミを加工して作製されたものであり、環境汚染を低減可能であり、生産性が良く、放熱性能が優れた波形板に関するものである。
【背景技術】
【０００２】
波形板という建築用材料は工場や倉庫の建設に大量に使用されている。夏時期は温度が高いので、太陽が建物の上面や庭園などに直接に照射することを回避するために、建物の上面や庭園などに、波形板を主な建築用材料とする建築物が建てられる。
このような建築物は貯蔵室や車庫として使用することができ、且つ波形板は縁部を互いに重ねてねじなどにて締付けると済むので、建設工数が少なく掛られ、建設費が安く、取り除きが簡単であるので、消費者に愛用されている。
しかし、波形板は酸化され易いので、その表面に錆び止め塗料を塗布することが一般である。
【０００３】
従来の波形板は、図４に示すように、金属板５の錆を除去して酸洗工程を行った後、前記金属板５に一定距離を置いて凸部５１と凹部５２を形成し、錆を止めるために、前記金属板５の表面にスズめっきを施して、焼き付け層を形成する。
そうすると、金属板５の外観が綺麗になり、錆び止め効果を収めることもできる。
【考案の開示】
【考案が解決しようとする課題】
【０００４】
しかしながら、これは次のような欠点があった。
（イ）従来の波形板の加工プロセスは、酸洗い工程、めっき工程と焼き付け塗装工程などが実施されるので、環境が汚染される。
【０００５】
（ロ）使用された波形板を廃棄する場合には、その表面にはスズめっき層と焼き付け層とがあるので、環境が二次汚染される。
【０００６】
本考案の主な目的は、環境汚染を低減可能であり、生産性が良く、放熱性能が優れた波形板を提供することにある。
【課題を解決するための手段】
【０００７】
上記目的を達成するためになされた本願の第１考案は、第一プレートと、第二プレートと、を含み、前記第二プレートには前記第一プレートに固定された支持板が形成してあることを特徴とする波形板であることを要旨としている。
【０００８】
本願の第２考案では、前記第二プレートには延長板が形成してあり、前記延長板には当該延長板に垂直な支持板が結合してあることを特徴とする第１考案に記載の波形板であることを要旨としている。
【０００９】
本願の第３考案では、前記第二プレートの延長板には貫通孔が開設してあることを特徴とする第２考案に記載の波形板であることを要旨としている。
【考案の効果】
【００１０】
本考案の波形板によれば、次のような効果がある。
（イ）本考案の第一プレートと第二プレートとはアルミで加工されて作製されたものであり、加工プロセスには、酸洗い工程、めっき工程と焼き付け塗装工程が実施されないので、環境汚染を低減可能であり、生産性が良く、放熱性能に優れる。
【００１１】
（ロ）本考案の第二プレートには、延長板と、支持板とが形成してあるので、第一プレートと第二プレートとの間にはスペースが形成され、前記スペースにより熱対流が発生され、放熱性能が更に良くなる。
【００１２】
（ハ）本考案の延長板には貫通孔が多数に開設してあるので、前記スペース内のエアの流通が良くなり、第一プレートと第二プレートとの放熱性能が更に良くなる。
【考案を実施するための最良の形態】
【００１３】
以下、添付図面を参照して本考案の好適な実施の形態を詳細に説明する。
【実施例】
【００１４】
まず、図１を参照する。本考案の波形板は、アルミで加工されて作製された、第一プレート１と、第二プレート２と、を含み、加工プロセスには、酸洗い工程、めっき工程と焼き付け塗装工程が実施されないので、環境汚染を低減可能であり、生産性が良く、放熱性能に優れる。
【００１５】
前記第一プレート１には、一定距離を置いた、凸部１１と凹部１２が形成してあり、前記凹部１２にはねじ穴１３が多数に開設してある。
【００１６】
前記第二プレート２には、一定距離を置いた、凸部２１と凹部２２も形成してあり、前記各凸部２１には外側に延長する延長板２３が形成してあり、前記延長板２３には貫通孔２３１が多数に開設してあり、前記延長板２３にはそれと垂直している支持板２４が結合してあり、前記支持板２４にはねじ穴２５が多数に開設してある。
【００１７】
次に、図１乃至図３を参照しながら本考案の組付方法を詳細に説明する。まず、第二プレート２の支持板２４に第一プレート１の凹部１２を対応して、複数の締付子３にて第一プレート１の各ねじ穴１３と、第二プレート２の各ねじ穴２５とを締付け、そうすると、第一プレート１と第二プレート２との間にスペース４が形成され、前記スペース４により熱対流が発生され、放熱性能が更に良くなり、そして前記延長板２３には貫通孔２３１が多数に開設してあるので、前記スペース４内のエアの流通が良くなり、第一プレート１と第二プレート２との放熱性能が更に良くなる。
【００１８】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよい。
【図面の簡単な説明】
【００１９】
【図１】本考案の分解斜視図である。
【図２】本考案の組合状態の斜視図である。
【図３】本考案の組合状態の断面図である。
【図４】従来の波形板の構造を示す概略図である。
【符号の説明】
【００２０】
１        第一プレート
２        第二プレート
３        締付子
４        スペース
５        金属板
１１      凸部
１２      凹部
１３      ねじ穴
２１      凸部
２２      凹部
２３      延長板
２４      支持板
２５      ねじ穴
５１      凸部
５２      凹部
２３１    貫通孔
【図１】
0003135396.tif 000003
【図２】
0003135396.tif 000004
【図３】
0003135396.tif 000005
【図４】
0003135396.tif 000006
(57)【要約】【課題】水切り機能を有するペット用餌容器を提供する。【解決手段】ペット用餌容器１は、ウサギ用のものであって、底部２よりも上部開口３が広い上広がりの円形皿状であって、底部２には水切り用の孔４が６個形成されている。ペット用餌容器１の素材は、耐水性の材料、例えば陶器からなり、餌容器１の内面（または上面）には水の表面張力を大きくする膜、上薬を焼いた膜が形成されていて、この膜は孔４の内部では省略されている。上記孔４は、この図示例では円形のものであり、直径が２〜３ｍｍである。この直径の値は、ウサギの餌のうちで小さいものであるエン麦等が落ちない寸法に設定されている。【選択図】図１
0003135338.tif 000002
【実用新案登録請求の範囲】
【請求項１】
底部に水切り用の孔が設けられたことを特徴とするペット用餌容器。
【請求項２】
請求項１に記載のペット用餌容器において、
前記孔は、餌が落下しない大きさに形成されていることを特徴とするペット用餌容器。
【請求項３】
請求項１または２に記載のペット用餌容器において、
皿状に形成されていることを特徴とするペット用餌容器。
【考案の詳細な説明】
【技術分野】
【０００１】
本考案は、ウサギなどの小動物をペットとして飼う場合に用いるペット用餌容器に関する。
【背景技術】
【０００２】
上述したウサギなどが餌を食べるとき、吸水器や水入れから水を飲む行為と餌を食べる行為とを交互に行うため、口に含んだ水や、口の周りに付いた水滴がペット用餌容器に入る。
【考案の開示】
【考案が解決しようとする課題】
【０００３】
したがって、ペット用餌容器に入った水により、乾燥した餌がふやけたり腐敗したりするという難点があった。
【０００４】
本考案は、このような従来技術の課題を解決するためになされたもので、水切り機能を有するペット用餌容器を提供することを目的とする。
【課題を解決するための手段】
【０００５】
本考案のペット用餌容器は、底部に水切り用の孔が設けられたことを特徴とする。
【０００６】
また、請求項２のペット用餌容器は、請求項１に記載のペット用餌容器において、前記孔は、餌が落下しない大きさに形成されていることを特徴とする。
【０００７】
また、請求項３のペット用餌容器は、請求項１または２に記載のペット用餌容器において、皿状に形成されていることを特徴とする。
【考案の効果】
【０００８】
本考案のペット用餌容器による場合には、底部の水切り用の孔を介して水を排出することができる。よって、乾燥した餌がふやけたり腐敗したりすることを抑制できる。
【０００９】
請求項２のペット用餌容器による場合には、孔からの餌の落下を防止することができる。
【考案を実施するための最良の形態】
【００１０】
以下に、本考案のペット用餌容器を具体的に説明する。
【００１１】
図１は本考案の一実施形態に係るペット用餌容器を正面の斜め上方から見た外観斜視図で、図２はその平面図である。
【００１２】
このペット用餌容器１は、ウサギ用のものであって、底部２よりも上部開口３が広い上広がりの円形皿状であって、底部２には水切り用の孔４が複数、図示例では６個形成されている。但し、孔４の数は、任意に設定することができる。
【００１３】
ペット用餌容器１の素材は、耐水性の材料、例えば陶器からなり、餌容器１の内面（または上面）には水の表面張力を大きくする膜、上薬を焼いた膜が形成されていて、この膜は孔４の内部では省略されている。
【００１４】
上記孔４は、この図示例では円形のものであり、直径が２〜３ｍｍである。この直径の値は、ウサギの餌のうちで小さいものであるエン麦等が落ちない寸法に設定されている。
【００１５】
このように構成された本実施形態に係るペット用餌容器１による場合には、底部２の水切り用の孔４を介して水を排出することができ、餌容器１に入れた乾燥した餌がふやけたり腐敗したりすることを抑制できる。また、孔４の直径が２〜３ｍｍの円形であるので、孔４からの餌の落下を防止することができる。更に、餌容器１の内面には水の表面張力を大きくする膜が形成されていて、この膜が孔４の内部では省略されているので、水を底部２から孔４へ移動させ易く、水はけ性を向上させ得る。
【００１６】
なお、上述した実施形態ではペット用餌容器１の素材に陶器を使用した例を挙げているが、本考案はこれに限らず、樹脂製や木製などでもよい。このような素材にあっても、底面では水の表面張力が大きく、孔４の内部では水の表面張力が小さくなった構成とすることが水はけ性の向上を図る上で好ましい。
【００１７】
また、上述した実施形態では円形の餌容器を例に挙げているが、本考案はこれに限らず、例えば図３に示すように底部２と上部開口３がほぼ同一面積の有底筒状のペット用餌容器１Ａや、図４に示すように平面視でハート形状をしたペット用餌容器１Ｂであってもよい。図３および図４において、図１と同一部分には同一の番号を付している。
【００１８】
更に、上述した実施形態では水切り用の孔４として円形の孔を例に挙げているが、本考案はこれに限らず、例えば図５に示す星形をした水切り用の孔４Ａや、図６に示す長孔になった水切り用の孔４Ｂなどにしてもよい。このようにした場合には、孔からの餌の落下を防止しつつ水の落下を容易にすることが可能になる。即ち、図５に示す孔４Ａのときは、一番広い空洞部の長さＬ１を小さくしても、全体の面積Ｓ１を大きくすることができ、図６に示すの孔４Ｂのときは、狭い孔幅Ｌ２を小さくしても、全体の面積Ｓ２を大きくすることができるからである。
【図面の簡単な説明】
【００１９】
【図１】本考案の一実施形態に係るペット用餌容器を正面の斜め上方から見た外観斜視図である。
【図２】図１の平面図である。
【図３】本考案の他の実施形態に係るペット用餌容器を示す外観斜視図である。
【図４】本考案の更に他の実施形態に係るペット用餌容器を示す外観斜視図である。
【図５】本考案のペット用餌容器に適用できる他の形の水切り用の孔を示す図である。
【図６】本考案のペット用餌容器に適用できる更に他の形の水切り用の孔を示す図である。
【符号の説明】
【００２０】
１、１Ａ、１Ｂ    ペット用餌容器
２    底部
４    水切り用の孔
【図１】
0003135338.tif 000003
【図２】
0003135338.tif 000004
【図３】
0003135338.tif 000005
【図４】
0003135338.tif 000006
【図５】
0003135338.tif 000007
【図６】
0003135338.tif 000008
(57)【要約】      （修正有）【課題】従来のカレンダーにおいては、パネルを置くとカレンダー部分が見えなくなってしまい、また、あまりひとに見せたくない内容を記しにくい。【解決手段】パネルにより隠れる部分と隠れない部分に違う内容を印刷することで、パネルを置いても隠れない部分を見ることができる。同時に隠れる部分に常時見られるのを避けたい内容を記すことが可能になる。パネル部分は写真、メッセージカード、年間カレンダーなど、多様な使い方ができる。【選択図】図１
0003135368.tif 000002
【実用新案登録請求の範囲】
【請求項１】
前面に配置するパネルと、それにより隠れる部分と隠れない部分のデザインを分けた印刷とで構成したカレンダー
【考案の詳細な説明】
【技術分野】
【０００１】
本新案は、カレンダーにおいて交換可能なパネルを配置したいという希望と、常時ひとに見られるのを避けたい内容を記したい要望の両方を同時に解決するようにしたものである。
【背景技術】
【０００２】
従来はパネルを容易に交換でき、かつ、見られたくない内容を書けるカレンダーはなかった。
【考案の開示】
【考案が解決しようとする課題】
【０００３】
従来のカレンダーにおいては、パネルを置くとカレンダー部分が見えなくなってしまい、また、あまりひとに見せたくない内容を記しにくい。
【課題を解決するための手段】
【０００４】
・カレンダーを隠れない部分１と隠れる部分２に分けて構成し、それぞれに適したデザインを施す。例えば、隠れない部分１には通常の月カレンダーを表示し、隠れる部分２には常時、見られることを避けたい予定を書ける月カレンダーを表示するなど。
・パネル３部分には、自分の好みの写真を置いたり、「出張中」などのメッセージカードを置く、年間カレンダーを置いて長期の予定と見比べることができるなど、多様な用途が可能である。
【図面の簡単な説明】
【０００５】
【図１】パネルを置いたときのカレンダーの形状
【図２】パネルを置かないときのカレンダーの形状
【符号の説明】
【０００６】
１  隠れない部分
２  隠れる部分
３  パネル
【図１】
0003135368.tif 000003
【図２】
0003135368.tif 000004
(57)【要約】      （修正有）【課題】溶接熱と引き作業による２次的歪みの発生を防ぎ正確な板金作業に役立つスタッドガンの提供。【解決手段】中空のシャフトの中にスライドシャフト１３を設け、前部にエアー圧でスライドするカバーを、中央部にガイドアーム８を、後部にスライドシャフトをスライドさせるスライド調整ナット１６を設けたスタッドガン。スタッドガンの前部にクッションラバー５付きのスライドカバー７を設けエアーで溶接部をリング状に冷却する。後部のスライドシャフトを引き出すスライド調整ナットを締めこむことによって、微調整を行いながら引き出すことが出来る。中央部にガイドアームを設けることによって必要以上の引き出しを防ぐ。【選択図】図１
0003135362.tif 000002
【実用新案登録請求の範囲】
【請求項１】
中空シャフトの内部にスライドする溶接ピン付きのシャフトを設け、中空シャフト前部の上にエアーの圧力で自動的にスライドするクッションラバー付きのカバーを設け、エアーガンの取り付け場所はクッションラバーカバーの後部の中空シャフトに設ける、中空シャフトの中央部に、引き出す距離を調整するガイドアーム、後部には、締めこむことによって、スライドシャフトをスライドさせるための、スライド調整ナットを設け、溶接機のスイッチはスライドシャフト後部のスライド調整ナットの前部に設け、以上のごとく構成された自動車板金用工具。
【考案の詳細な説明】
【技術分野】
【０００１】
本考案は、溶接部を、エアーで集中的に冷やすために、エアー圧でスライドするクッションラバー付のカバーを設け、中央部にガイドアーム、後部には、スライドシャフトを、スライドさせるための、スライド調整ナットを設けたスタッドガンに関するものである。
【背景技術】
【０００２】
溶接したヒラワッシャーを、そのままスライドハンマーで引き出す、スライドハンマーに溶接ピンを設け溶接して、後部からエアーを吹きつけて冷却して引き出す。ピンをハンダー溶接やボンドで貼り付けるなどして、ハンドリベッターにガイドの付いた工具で引き出すなどの方法で凹部を引き出していた。
【考案の開示】
【考案が解決しようとする課題】
【０００３】
２００５年以降、自動車のボディに採用されるようになった、高張力鋼板は、ワッシャーや、ピン溶接等で溶接部の裏まで焼ける強い熱を加えると鋼板が延びて、歪みが広がる。又、スライドハンマー等で瞬間的に引き出す力を加えても延びる性質がある。
又、ピンをハンダー溶接する方法や、ボンド貼り付ける方法は、作業時間が長くなってしまう。この様な欠点を解決しょうとするものである。
【課題を解決するための手段】
【０００４】
本考案は、溶接ピンを包み込むようにエアー圧で自動的にスライドするクッションラバーを取り付けたスライドカバーを設け、溶接部にクッションラバーが密着することによってエアーで効率良く冷却することができるため溶接による溶接熱の広がりを防ぐことができる。引き作業は、後部の調整ナットを締めこむことによって、微調整をしながら引き出すことにより問題点を解決している。
【考案の効果】
【０００５】
上述の様に本考案の空冷式スタッドガンは、溶接部をリング状に集中的に冷却することが出来る為、熱伝導による鋼板の二次的歪みを防ぐことが出来き、引き作業は、スライドシャフトを調整ナットで少しずつ引き出すため二次的歪みも防ぎ板金の範囲が狭くて済むことは勿論、鋼板の絞り作業と引き作業が同時に連続して行えるため作業時間短縮に役立つ。
【考案を実施するための最良の形態】
【０００６】
鋼板の歪みの状態に合わせてガイドアーム固定ブロックを、スライドさせてガイドアームの幅を調整、スライドアームで引き出す距離を調整してロックナットでロックする。引き出したい部分に溶接ピンを合わせ溶接して、エアーを吹きつけて冷却する、この時、クションラバー付きのスライドカバーは、エアー圧により自動的に溶接部に密着する。引き作業は、後部の調整ナットを締め込み鋼板の高い部分をハンマリングしながら引き出し作業を行う。
【０００７】
以下、添付図面に従って実地例を説明する。図１の、１０のエアーホースガン取付けブラケットにエアーガンをセット、１５の溶接機スイッチ取付けブラケットに溶接機スイッチをセットする。鋼板のダメージに合わせて、１２のスライドブロックで、スライドさして、8,8aのガイドアームで幅を調整して、４ｃのロックナットを固定して、１、１aのガイドをダメージ部に当てて引き出す距離を、３、３aで調整して、４、４bのロックナットで固定する。これによって引き出し作業時に必要以上に引き出すことを防ぐことができる
。１１，１１aのリンクは、８のガイドアームを支えるためのリンクで２、２ａ、２ｂ、２c、２ｅ、２d、２ｆは連結ピンである。
【０００８】
６の溶接ピンを引き出したい部分に合わせて、１５の溶接機スイッチ取付けブラケットに取り付けたスイッチで通電さして溶接ピンをダメージ部に溶接して、１０からエアーを吹きつける、この時、７のスライドカバーは、エアー圧で自動的にスライドして、５のクションラバーが、６の溶接ピンを包み込むようにダメージ部に密着する。通電は、９の中空シャフトと、１４のリヤーシャフト中に組み込まれた、１３のスライドシャフトから通電する。１６のスライド調整ナットを締め込み、１３のスライドシャフトをスライドさして引き作業を行う。１７のストッパーナットは、１６のスライド調整ナットのストッパーである。
【０００９】
６の溶接ピンの取り替えは、４aのロックナットをはずして、７のスライドカバーを取り外しで、図の、１８の溶接ピン固定ナットを取り外して行う。
【図面の簡単な説明】
【００１０】
【図１】本考案の空冷式スタッドガンの実施例を示す斜視図である。
【図２】本スタッドガンの一部切欠断面図である。
【符号の説明】
【００１１】
１  ガイド
２  連結ピン
３  スライドアーム                                                          
４  ロックナット  
５  クッションラバー
６  溶接ピン
７  スライドカバー                                                          
８  ガイドアーム
９  中空シャフト
１０  エアーガン取付けブラケット
１１  リンク
１２  スライドブロック
１３  スライドシャフト
１４  リヤーシャフト
１５  溶接機スイッチ取付けブラケット
１６  スライド調整ナット
１７  スットパー
１８  溶接ピン固定ナット
【図１】
0003135362.tif 000003
【図２】
0003135362.tif 000004
(57)【要約】      （修正有）【課題】針を用いて糸でボタンを服に固定するのではなく、回転ネジ式のボタン形状により、簡易な着脱を可能にする。【解決手段】衣服の前立て部分の（従来であれば糸を用いて）ボタンを固定する側のボタンホールに裏蓋を差し込んでボタンを固定した状態にしたうえで、衣服の厚みに合わせて円盤部分をネジで調節し、着衣の際には他方の前立てのボタンホールにボタンを差し込んで止めることにより、糸を使用しないボタンの実現が可能となる。【選択図】図１
0003135701.tif 000002
【実用新案登録請求の範囲】
【請求項１】
表のボタンと裏の蓋板をピンでつなぎ、両端を固定して中間に可動式の板状ナットを設けることにより、「糸を用いない」ところを特徴とするネジ式ボタン
【考案の詳細な説明】
【技術分野】
【０００１】  本考案は、糸を使用せずネジ式を利用して衣服の前をとめ合わせる、ボタンに関するものである。
【背景技術】
【０００２】  従来の糸を用いてとめるボタンは、磨耗や衝撃などにより糸が切れてボタンが衣服から外れてしまった場合、針と糸を用いて衣服に取り付けなければならない。
【考案の開示】
【考案が解決しようとする課題】
【０００３】  出先などで服からボタンが取れてしまう経験は誰にもあると思われるが、針と糸を持ち合わせていなければ、そのままにせざるを得ない。また、殊に独身男性においては、ちょっとした裁縫でも面倒に感じられるものである。衣服への着脱に糸を使用せずネジ式とすることにより、前述の欠点を解決しようとするものである。
【問題を解決するための手段】
【０００４】  本考案は、服の前合わせ部分（前立てと呼ばれる部分）左右双方にボタンホールを開け、従来ボタンが糸で固定される側（男性なら右、女性なら左）のボタンホールに本考案形状のボタンを差し込んで付随のネジで固定した状態とし、着衣の際にはもう一方のボタンホールに表のボタンをはめることにより、糸を用いないボタンの実現を可能とするものである。
【考案の効果】
【０００５】  糸を使用しないことにより、従来式のボタンと比較して、不意の脱落時にも面倒なく回復出来るのは勿論、気分転換やお洒落の目的で服のボタンを取り替える際にも非常に短時間かつ簡単に取り替え可能となる。
【考案の実施するための最良の形態】
【０００６】  ボタン表部と裏部をピンでつないで固定し、中間に可動式の円盤を付属させるもの。
【図面の簡単な説明】
【０００７】
【図１】  本体の横から見た外観図
【符号の説明】
【０００８】１  ボタンの表部分
２  ボタンを固定するための可動式円盤（ナットに相当）
３  本体をボタンホールに固定させる裏蓋
Ａ  服の生地の厚みが異なるための「遊び」の部分
Ｂ  裏蓋をボタンホールに差し込んだあと、可動式円盤を動かして生地を挟む
【図１】
0003135701.tif 000003
(57)【要約】      （修正有）【課題】ゴミ袋の取り扱いを簡単にするため、ゴミ袋の寸法に合わせてゴミ箱つくり、固定できるようにしたゴミ袋固定箱に関する。今までのゴミ袋固定箱ではゴミ袋に取っ手やむすびしろの付いたものに限定されていて、何も付いていないゴミ袋には不便であった。  【解決手段】ゴミ袋固定箱本体１にゴミ袋４をはみ出すように入れて、袋固定枠２でゴミ袋４を挟み込み固定し、ゴミ袋４をゴミ袋固定箱本体１の底まで押し広げる。ゴミ袋固定箱本体１の上部に接着部を設け、ゴミ袋固定箱本体１にゴミ袋４をはみ出すように入れて、ゴミ袋４の先端部を接着し、固定してからゴミ袋固定箱本体１の底まで押し広げる。【選択図】図１
0003135710.tif 000002
【実用新案登録請求の範囲】
【請求項１】
ゴミ袋を利用したゴミ箱において、ゴミ袋４を開いて固定できるように、ゴミ袋固定箱本体１の上部に、ゴミ袋４を固定する袋固定枠２を取り付けたことを特徴とするゴミ袋固定箱。
【請求項２】
ゴミ袋を利用したゴミ箱において、ゴミ袋４を開いて固定できるように、ゴミ袋固定箱本体１の上部の周囲に接着部を設け、ゴミ袋４を接着固定できることを特徴としたゴミ袋固定箱。
【考案の詳細な説明】
【技術分野】
【０００１】
本考案はゴミ箱に関する内容で、ゴミ袋の扱い方を簡単にするためのものである。
【背景技術】
【０００２】
一般に今おこなわれているのはゴミ袋を利用可能な容器等、又は一般のゴミ箱に入れることで固定している。実用新案登録第3133502号のゴミ袋固定箱ではゴミ袋を取っ手やむすびしろの付いたものに限定していた。何も付いていないゴミ袋には不便であった。
【考案の開示】
【考案が解決しようとする課題】
【０００３】
本考案はゴミ袋に合わせてゴミ箱を作り、固定しやすく、入れやすくするための内容である。最近はリサイクル推進の為、多くのゴミ箱を用意し分別しなければならない。市町村自治体によっては異なるが、当自治体では燃えるゴミ1種類と、燃えないゴミ４種類と、合わせて5種類のゴミを分別することになっている。収集するゴミ袋の扱い方は、家庭や職場で様々である。利用可能な容器にゴミ袋を入れているのが一番多い実施例と見えるが、そのまま入れにくいゴミ袋に直接入れているのも現状である。又別なゴミ箱に一旦入れて、それを収集袋に入れ替えることも多く実施されている。扱いにくいゴミ袋をゴミ箱にセットするのは大きさが違えば困難である。又ゴミ袋の入り口を固定しないため、入れにくいことが多い。多くのゴミ袋を扱う現在、又確かな分別を推進するためにも、ゴミ袋やゴミ箱の扱い方を簡単にし、やりやすい環境をつくっていく必要がある。
【課題を解決するための手段】
【０００４】
図１で示す様に、ゴミ袋固定箱本体１にゴミ袋４入れ、ゴミ袋４の上部をゴミ袋固定箱本体１からはみ出すようにしてから、袋固定枠２をゴミ袋固定箱本体１にゴミ袋４を挟むようにして固定する。固定してから、ゴミ袋４をゴミ袋固定箱本体１の底まで押し広げる。
【０００５】
又、別の方法としては、図４に示す様に、ゴミ袋固定箱本体１の上部の周囲に両面テープを貼って接着部５−１〜５−４を設けて、ゴミ袋４の上部をゴミ袋固定箱本体１からはみ出すようにして、袋の先端部をゴミ袋固定箱本体１の接着部５−１〜５−４に接着し固定する。固定してから、ゴミ袋４をゴミ袋固定箱本体１の底まで押し広げる。
【０００６】
又分別をやりやすくするために、図３のゴミ袋固定箱の蓋３や、図３や図４の様にゴミ袋固定箱本体１に、分別する内容の文字を入れたり、蓋３やゴミ袋固定箱本体１や袋固定枠２を透明の樹脂を使い、外からゴミ袋固定箱の中を判別することもできる。又ゴミ袋固定箱の蓋を開けずにゴミを入れられることのできる、シーソー状の中蓋を付け加えることもできる。
【考案の効果】
【０００７】
この内容でゴミ袋を簡単に固定することができ、又きれいにゴミ袋を広げることができる。どんなゴミ袋でも使用することができ、自治体で収集する最終処分に出すゴミ袋を、使いよい状態にすることでゴミ集めの手間が省ける。このゴミ袋固定箱は、スーパー等で使用しているレジ袋でも、ほぼ寸法が合う場合は同様の効果で使用することができる。ゴミ袋固定箱を使用することで、扱い困難なゴミ袋を使用しやすくし、ゴミのリサイクル推進に寄与すると考えられる。
【考案を実施するための最良の形態】
【０００８】
この考案を実施するための最良の方法は、金型を作り、ゴミ袋固定箱本体１と袋固定枠２と蓋３をプラスチック成形することである。図１のゴミ袋固定箱本体１を、中心から２分割し、この断面上で合体できるように、合体部にツメを付けた成形品をつくり、同じ成形品２個を合わせて組み立て、ゴミ袋固定箱本体１を作ることができる。又プラスチックの代わりに、金属や木材及びダンボール紙でも作ることができる。
【０００９】
接着による固定する方法としては、又図４のようにゴミ袋固定箱本体１上部に両面テープ等で接着部を設けることで可能となる。
【産業上の利用可能性】
【００１０】
本考案に係るゴミ袋固定箱は、工業的に量産する事が可能であるため、産業上の利用可能性を有する。
【図面の簡単な説明】
【００１１】
【図１】ゴミ袋を固定したゴミ袋固定箱の正断面図
【図２】ゴミ袋を固定したゴミ袋固定箱の平面図
【図３】ゴミ袋固定箱の蓋、袋固定枠、ゴミ袋、ゴミ袋固定箱本体の斜視図
【図４】接着部を付けたゴミ袋固定箱本体の斜視図
【符号の説明】
【００１２】
１  ゴミ袋固定箱本体
２  袋固定枠
３  ゴミ袋固定箱の蓋
４  ゴミ袋
５−１  接着部
５−２  接着部
５−３  接着部
５−４  接着部
【図１】
0003135710.tif 000003
【図２】
0003135710.tif 000004
【図３】
0003135710.tif 000005
【図４】
0003135710.tif 000006